(57)【要約】【課題】ヒンジ式の開閉蓋を有する、粉状洗剤などが充填された提げ手つき箱体の紙製容器において、充填物がより容器外に漏れにくい高密封性を保持した紙箱容器を提供する。【解決手段】底面開口のストッパー付きのヒンジ式開閉蓋体１と、天面開口の箱体本体２とからなる紙箱容器を形成し、箱体本体２の側面を形成する４面中、蓋体を形成する面と隣り合わない３面の箱体上縁部１０から、該箱体上縁部１０に近い部位を屈曲形成してなる補強板６，７，８を各々延設して箱体内側へ折り曲げ、箱体上縁部１０の天面周縁の厚み部分と、この部分に対応する開閉蓋体の内面部位である封印接着部９を、接着剤により相互に接着したことを特徴とする、提げ手つき紙箱容器。【選択図】　図１
2004018114.tif 000002
【特許請求の範囲】
【請求項１】
底面開口のストッパー付きのヒンジ式開閉蓋体と、天面開口の箱体本体とからなる提げ手つき紙箱容器において、箱体本体の側面を形成する４面中、蓋体を形成する面と隣り合わない３面の箱体上縁部から、該箱体上縁部に近い部位を屈曲形成してなる補強板を各々延設して箱体内側へ折り曲げ、前記箱体上縁部の天面周縁の厚み部分と、この厚み部分に対応する開閉蓋体の内面部位である封印接着部とを、接着剤により相互に接着したことを特徴とする、提げ手つき紙箱容器。
【発明の詳細な説明】
【０００１】
【発明の属する技術分野】
この発明は、粉状洗剤などの紙箱容器において、箱内充填物が外に漏れにくい高密封性を保持した、提げ手つき紙箱容器に関するものである。
【０００２】
【従来の技術】
従来、粉状洗剤、粒状菓子、あるいは顆粒状飲料などを充填した紙製の箱体容器にあっては、
蓋体となる部分と、箱体本体部分とを封緘し、蓋体部分に形成された帯状ミシン目を横に引き裂いて容器を開封する印篭（いんろう）構造が主流となっている。
一枚のブランクで形成された箱型容器の改良技術としては、
たとえば、特開平７−２３７６２７号「洗剤用紙箱」に示されるごとく、接着部と切り取り線の位置を変えることによって、使用する用紙面積を少なくする技術（以下引用例１という）、
特開平９−６６９２７号「粉末洗剤などの紙箱」に見られるごとく、
上部天面を開口した箱体の上面に、その開口部分を覆うように密封式の「封緘板」を介した上でヒンジ式開閉蓋板を形成し、保存性を高めた技術（以下引用例２という）、
特開２００１−２０６４４６号「箱状容器の密封方法と該密封方法を用いて作製した箱状容器」に開示されているような、箱体表面のオーバーコートニス層の熱融着しにくい部分へ、熱融着性のあるヒートシールラッカー形成層を設けることによって、蓋材のシーラント層と熱融着を可能とし、密封性を高めた技術（なお、この技術は、箱体と蓋体を別々のブランクによって形成するものである。以下引用例３という）、
また、箱体容器を移動・運搬する際に便利な提げ手についての改良技術として、特開２０００−２５５５５２号「カートン」のように、把持しても切れない強度のある帯状紙からなる吊り手（提げ手）を、封緘される開口フラップ部にエンボス凹部を形成することなどにより貼り付けて強固に固定し、プラスチック手提げなどを採用した場合に生じる、リベット留め部分での内容物漏れを防ぐ技術（以下引用例４という）、
などが提唱されてきている。
【０００３】
【発明が解決しようとする課題】
しかしながら、
引用例１の技術にあっては、インナーシールを不要なさしめることによって紙の経済性が高まる反面、未開封時の箱体が頻繁に移動・揺動されることによって生じる、ヒンジで連接されない箱体側面３面の上縁と、蓋体とのすきまへの内容物流入を防ぐことができず、開封時に粉状洗剤などが箱体の外へ漏れるおそれがあり、密封強度は確保できないと言わざるを得ない。
引用例２の技術にあっては、封緘板を介することによって内容物の密封性・保存性は高まるものの、この封緘板のとる面積が、箱体上部開口面積プラスアルファの大きさが必要とされ、いったん容器を開封すると、使用途次において、蓋本体をたとえ開放状態においたとしても、この封緘板全体を開け閉めしなければならず、反復利用時の利便性に欠ける。
引用例３の技術にあっては、ヒートシールラッカー形成層を設けることで非熱融着部分へも熱融着可能とせしめ、密封方法が改善されるものの、箱本体から蓋材をいったん開封してしまうと、ヒートシールラッカーによる熱融着が解け、再び蓋を箱本体に係止する手段がなくなるため、内容物を一度に使い切る場合はよいが、蓋を継続的に開閉する必要のある内容物、たとえば粉状洗剤などの容器には向かない。
引用例４の技術にあっては、引用例２や引用例３の技術同様、受け部を一体に形成し、簡単に装着可能な利点を有するが、受け部（受け袋）の側縁を「シール部材」で接着することが必要なため、受け部のふくらみをうまく調整して形成した上でシールを貼らねばならず、必ずしも簡易とは言えない。
本発明は、このような従来技術の課題を解決し、粉状洗剤などの充填物がなお外部に漏れにくく、高密封性を保持した提げ手つき紙箱容器を提供することを目的とする。
【０００４】
【課題を解決するための手段】
上記課題を解決するにあたって本発明が採用する手段は、
１枚のブランクから成る箱体であって、
蓋になる部分は、底面を開口したストッパー付きのヒンジ式開閉蓋体１として形成し、他方容器部分は、天面開口の箱体本体２として形成した上で、
該箱体本体２を形成する４面の側面のうち、前記蓋体１と連接しない３面の箱体上縁部１０から、それぞれ補強板６，７，８を延設して箱体内側へ折り曲げ、さらに、箱体上縁部１０を形成する天面周縁の厚み部分と、この部分に対応する開閉蓋体１の内面部位である封印接着部９とを、接着剤により相互に接着したことを特徴とする。
【０００５】
【発明の実施の形態】
以下、本発明の実施の形態について説明する。
図面において図１は本発明の一実施例を分解した状態を示す斜視図であるが、
本発明を構成する蓋体１は、底面を開口した状態に形成される。
また、箱体本体２を含めた全体を１枚のブランクによって形成するため、箱体本体２と当接する辺はヒンジ式に形成される。
蓋体１の前面中央よりには、蓋体１と箱体本体２との結合を強固にするため、ストッパー４となる辺が突出形成される。
【０００６】
次に本発明を構成する箱体本体２であるが、こちらは天面開口として形成される。
そして、箱体本体２を形成する面のうち、底面と、側面を形成する４面のうちの蓋体本体１と連接する面を除いた３面の側面には、それぞれの上縁となる箱体上縁部１０から、各々補強板（Ａ）６、補強板（Ｂ）７、補強板（Ｃ）８が延設形成される。
さらにくわしく述べると、これら３辺の補強板は、延設されるもと部分からやや内方へ幅狭となるように形成され、箱体内側への折り曲げが容易になるように形成される。
また、これら補強板は、曲げ伸ばしが自在となるように形成され、図２に示すように、粉状の充填物が外側に漏れにくいよう、中蓋的な役割を果たす。
この補強板の素材としては、箱体本体２と同じ素材で形成されることが、製造コストをより安価にするためにも望ましい。
箱体本体の前面となる部分には、開閉蓋体１に形成されたストッパー４を受ける部分として、ストッパー受け穴５が形成される。
さらに、携帯・輸送に便利なように、箱体本体２の２側面に提げ手穴１１を形成し、箱体本体と同材質の提げ手３を設けることが望ましい。
【０００７】
こうして形成される蓋体１と箱体本体２は、さらに次の手段によって密封接着され、内容物が漏出しにくい構造とする。
すなわち、本発明を構成する蓋体１の内面側で箱体本体上縁部１０と当接する部分と該箱体上縁部１０とに、それぞれの周縁に沿って接着剤を相互に塗布する。
【０００８】
本発明は、以上の構造で形成されるものであって、これを使用する場合は、
密封接着された箱体本体２と開閉蓋体１との封印を手動により解き、中蓋を形成した補強板をそれぞれ外側へ広げ、内容物としての粉状洗剤などを使用する。
【０００９】
【発明の効果】
本発明は、以上述べたことから、蓋体と箱体本体が密封状態となるため、外気がまったく遮断され、内容物の酸化を強力に防ぎ、また、充填物の箱体外部への漏出をより強固に防ぐことが可能となる。
また、全体を形成する材料をすべて再生紙、リサイクルダンボールなどとすることで、環境衛生的にも多大な貢献となり、ゴミ問題を軽減することができる。
【図面の簡単な説明】
【図１】本発明の分解斜視図である。
【図２】本発明の補強板を途中まで折り曲げた状態を示す斜視図である。
【図３】本発明の補強板を箱体本体に当接させた状態を示す斜視図である。
【図４】本発明の外観を示す斜視図である。
【図５】本発明のブランクの展開図である。
【符号の説明】
１　　　　開閉蓋体
２　　　　箱体本体
３　　　　提げ手
４　　　　ストッパー
５　　　　ストッパー受け穴
６　　　　補強板（Ａ）
７　　　　補強板（Ｂ）
８　　　　補強板（Ｃ）
９　　　　封印接着部
１０　　　箱体上縁部
１１　　　提げ手穴
【図１】
2004018114.tif 000003
【図２】
2004018114.tif 000004
【図３】
2004018114.tif 000005
【図４】
2004018114.tif 000006
【図５】
2004018114.tif 000007